(57)【要約】      （修正有）【課題】ショッピングサイトにおいて、ユーザとユーザに対してアンケートなどを実施したい企業と商品販売者が、１つのＷｅｂサイトを通して関われるようにし、ユーザはお金が無くても商品を購入できる仕組みを実現するサーバ装置、サーバプログラム及びサーバ運用方法を提供する。【解決手段】サービス実施者がＷｅｂサイトでお金をポイントに交換することで得たポイントを商品販売者の商品に添付するにあたって支払う添付代金の支払に利用することができ、商品販売者はサービス実施者から添付代金を換金できるポイントにより受取ることで、商品販売者はユーザに無料で商品を提供しても収益を得ることができ、商品販売者が得たポイントを換金することで、Ｗｅｂサイトは商品販売者から換金手数料を得る。【選択図】図１
2016126541.tif 000002
【特許請求の範囲】
【請求項１】
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項２】
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記添付代金を前記商品販売者と前記サービス実施者の間で値段交渉できる交渉手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項３】
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記添付代金を前記商品販売者と前記サービス実施者の間で値段交渉できる交渉手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とするサーバ装置。
【請求項４】
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記添付代金を前記商品販売者と前記サービス実施者の間で値段交渉できる交渉手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項５】
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とするサーバ装置。
【請求項６】
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者をオークションにより決めることができるオークション実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項７】
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者をオークションにより決めることができるオークション実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とするサーバ装置。
【請求項８】
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者をオークションにより決めることができるオークション実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項９】
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項１０】
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者を入札により決めることができる入札実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項１１】
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者を入札により決めることができる入札実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とするサーバ装置。
【請求項１２】
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者を入札により決めることができる入札実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とするサーバ装置。
【請求項１３】
請求項１〜１２のいずれかに記載のサーバ装置において、
前記商品を購入又はデータを取得する前記ユーザ端末のユーザが回答返信操作が必要なサービスを実施する際、前記添付するサービスに回答操作を実施できる回答操作手段と
回答したサービスの内容をサービス実施者へ返信できる回答返信手段とを更に備えることを特徴とするサーバ装置
【請求項１４】
請求項１〜１２のいずれかに記載のサーバ装置において、
商品販売者が販売する商品又は提供するデータとは文字、音楽、ゲーム、映像、書籍、写真、画像、音声などのデジタル情報商品を含むことを特徴とする。
【請求項１５】
請求項１〜１２のいずれかに記載のサーバ装置において
サービス実施者が実施するサービスとはアンケートの実施、広告の配信、広告の掲載、クーポンの配信、署名の実施、紹介文、レビューへの記入依頼、ソフトウエアのダウンロード、サービスなどへの会員登録依頼、懸賞サービスへの応募、サンプリングの実施などを含むことを特徴とする。
【請求項１６】
商品販売者の端末とユーザの端末とサービス実施者の端末がアクセス可能なＷｅｂサイトを構成するコンピュータに
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。
【請求項１７】
商品販売者の端末とユーザの端末とサービス実施者の端末がアクセス可能なＷｅｂサイトを構成するコンピュータに
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを実行することを特徴とするサーバプログラム。
【請求項１８】
商品販売者の端末とユーザの端末とサービス実施者の端末がアクセス可能なＷｅｂサイトを構成するコンピュータに
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。
【請求項１９】
商品販売者の端末とユーザの端末とサービス実施者の端末がアクセス可能なＷｅｂサイトを構成するサーバ装置におけるＷｅｂサイト運用方法であって
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを含むことを特徴とするＷｅｂサイト運用方法。
【請求項２０】
商品販売者の端末とユーザの端末とサービス実施者の端末がアクセス可能なＷｅｂサイトを構成するサーバ装置におけるＷｅｂサイト運用方法であって
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを含むことを特徴とするＷｅｂサイト運用方法。
【請求項２１】
商品販売者の端末とユーザの端末とサービス実施者の端末がアクセス可能なＷｅｂサイトを構成するサーバ装置におけるＷｅｂサイト運用方法であって
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払う
ステップとを含むことを特徴とするＷｅｂサイト運用方法。
【請求項２２】
商品販売者の端末とユーザの端末とサービス実施者の端末がアクセス可能なＷｅｂサイトを構成するコンピュータに
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。
【請求項２３】
商品販売者の端末とユーザの端末とサービス実施者の端末がアクセス可能なＷｅｂサイトを構成するコンピュータに
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを実行することを特徴とするサーバプログラム。
【請求項２４】
商品販売者の端末とユーザの端末とサービス実施者の端末がアクセス可能なＷｅｂサイトを構成するコンピュータに
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。
【請求項２５】
商品販売者の端末とユーザの端末とサービス実施者の端末がアクセス可能なＷｅｂサイトを構成するサーバ装置におけるＷｅｂサイト運用方法であって
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを含むことを特徴とするＷｅｂサイト運用方法。
【請求項２６】
商品販売者の端末とユーザの端末とサービス実施者の端末がアクセス可能なＷｅｂサイトを構成するサーバ装置におけるＷｅｂサイト運用方法であって
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを含むことを特徴とするＷｅｂサイト運用方法。
【請求項２７】
商品販売者の端末とユーザの端末とサービス実施者の端末がアクセス可能なＷｅｂサイトを構成するサーバ装置におけるＷｅｂサイト運用方法であって
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払う
ステップとを含むことを特徴とするＷｅｂサイト運用方法。
【発明の詳細な説明】
【技術分野】
【０００１】本発明はインターネットを介してサービス実施者の端末と商品販売者の端末とユーザの端末がアクセス可能なショッピングサイトで、アンケートや広告などのサービスを実施するサービス実施者と商品を販売者する商品販売者とユーザとショッピングサイトの４者が関わることで、それぞれが抱える課題を解決できるサーバ装置、及びサーバプログラム、及びサーバ運用方法の技術分野に関する。
【発明の開示】
【発明が解決しようとする課題】
【０００２】従来において、企業などのサービス実施者はユーザに対して、アンケートなどの企業活動を実施してもユーザからの協力を得ることが難しかった。またユーザは無料で電子書籍などの商品を見たりデータを取得することができなかった。
また商品販売者はユーザに対して無料で電子書籍などの商品を提供する場合、収益を確保することができなかった
またショッピングサイトは商品販売者が無料で電子書籍などを提供した場合にも商品販売者が収益を上げられる仕組みを実現しつつＷｅｂサイトも収益を上げることができなかった。【０００３】本発明が解決しようとする課題は、オンラインショッピングサイトにおいて無料で商品を購入したいまたは取得したいユーザと、ユーザに対してアンケートや広告などの企業活動を行いたいサービス実施者と
商品を無料で提供したい商品販売者と、Ｗｅｂサイトを利用してもらうことで、収益を得たいショッピングサイトが１つのＷｅｂサイトを通して関われることで、サービス実施者と販売者とユーザとＷｅｂサイトの４者がそれぞれ抱えている課題を解決できるサーバ装置、及びサーバプログラム、及びサーバ運用方法を提供することを目的とする。
【課題を解決するための手段】
【０００４】  上記課題を解決するために、請求項１に記載の発明は
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【０００５】請求項２に記載の発明は
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記添付代金を前記商品販売者と前記サービス実施者の間で値段交渉できる交渉手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【０００６】請求項３に記載の発明は
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記添付代金を前記商品販売者と前記サービス実施者の間で値段交渉できる交渉手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とする。【０００７】請求項４に記載の発明は
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記添付代金を前記商品販売者と前記サービス実施者の間で値段交渉できる交渉手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【０００８】請求項５に記載の発明は
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とする。【０００９】請求項６に記載の発明は
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者をオークションにより決めることができるオークション実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【００１０】請求項７に記載の発明は
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者をオークションにより決めることができるオークション実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とする。【００１１】請求項８に記載の発明は
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者をオークションにより決めることができるオークション実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【００１２】請求項９に記載の発明は
商品販売者の端末とユーザの端末とサービス実施者の端末がアクセス可能なＷｅｂサイトを構成するサーバ装置であって、
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【００１３】請求項１０に記載の発明は
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者を入札により決めることができる入札実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【００１４】請求項１１に記載の発明は
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者を入札により決めることができる入札実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に前記Ｗｅｂサイトが定める手数料の換金率を乗して
換金の金額を算出するポイント換金手段と
当該商品販売者の前記ポイント換金手数料を当該Ｗｅｂサイトが受取る手数料受取手段とを備えることを特徴とする。【００１５】請求項１２に記載の発明は
商品販売者の端末とユーザの端末とサービス実施者の端末がアクセス可能なＷｅｂサイトを構成するサーバ装置であって、
前記商品販売者端末の商品販売者は販売する商品又は提供するデータにサービスを添付できるサービス実施者を入札により決めることができる入札実施手段と
前記商品販売者端末の商品販売者が前記ユーザ端末のユーザに販売する商品又は提供するデータに前記サービス実施者端末のサービス実施者が実施したいサービスを添付する添付手段と
前記商品又は前記データと前記添付した実施するサービスを当該商品又は、当該データの識別情報に対応付けて記憶手段に記憶する添付実施サービス記憶手段と
前記Ｗｅｂサイトで前記商品販売者端末の商品販売者が販売する商品を購入又は提供するデータを取得する前記ユーザ端末のユーザに対して添付したサービスを実施するサービス実施手段と
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるポイント交換手段と
当該交換したポイントを当該サービス実施者の識別情報に対応付けて記憶手段に記憶する
交換ポイント記憶手段と
前記ポイント交換時に別途事務手数料をサービス実施者から徴収する徴収手段と
前記サービス実施者が保有するポイントにより
前記添付代金の決済処理を実行する決済処理手段と
当該決済に使用されたポイントを当該商品販売者の識別情報に対応付けて記憶する記憶手段と
前記商品販売者が前記商品販売者データ記憶部に換金請求するポイント数を入力すると、当該ポイント数に応じた完金額を算出し、前記商品販売者の指定口座へ前記換金額を支払う換金支払手段とを備えることを特徴とする。【００１６】請求項１３に記載の発明は
請求項１〜１２のいずれかに記載のサーバ装置において、
前記商品を購入又はデータを取得する前記ユーザ端末のユーザが回答返信操作が必要なサービスを実施する際、前記添付するサービスに回答操作を実施できる回答操作手段と
回答したサービスの内容をサービス実施者へ返信できる回答返信手段とを更に備えることを特徴とする。【００１７】請求項１４に記載の発明は
請求項１〜１２のいずれかに記載のサーバ装置において、
商品販売者が販売する商品又は提供するデータとは文字、音楽、ゲーム、映像、書籍、写真、画像、音声などのデジタル情報商品を含むことを特徴とする。【００１８】請求項１５に記載の発明は
請求項１〜１２のいずれかに記載のサーバ装置において
サービス実施者が実施するサービスとはアンケートの実施、広告の配信、広告の掲載、クーポンの配信、署名の実施、紹介文、レビューへの記入依頼、ソフトウエアのダウンロード、サービスなどへの会員登録依頼、懸賞サービスへの応募、サンプリングの実施などを含むことを特徴とする。【００１９】請求項１６に記載の発明は
商品販売者の端末とユーザの端末とサービス実施者の端末がアクセス可能なＷｅｂサイトを構成するコンピュータに
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。【００２０】請求項１７に記載の発明は
商品販売者の端末とユーザの端末とサービス実施者の端末がアクセス可能なＷｅｂサイトを構成するコンピュータに
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを実行することを特徴とするサーバプログラム。【００２１】請求項１８に記載の発明は
商品販売者の端末とユーザの端末とサービス実施者の端末がアクセス可能なＷｅｂサイトを構成するコンピュータに
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。【００２２】請求項１９に記載の発明は
商品販売者の端末とユーザの端末とサービス実施者の端末がアクセス可能なＷｅｂサイトを構成するサーバ装置におけるＷｅｂサイト運用方法であって
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを含むことを特徴とするＷｅｂサイト運用方法。【００２３】請求項２０に記載の発明は
商品販売者の端末とユーザの端末とサービス実施者の端末がアクセス可能なＷｅｂサイトを構成するサーバ装置におけるＷｅｂサイト運用方法であって
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを含むことを特徴とするＷｅｂサイト運用方法。【００２４】請求項２１に記載の発明は
商品販売者の端末とユーザの端末とサービス実施者の端末がアクセス可能なＷｅｂサイトを構成するサーバ装置におけるＷｅｂサイト運用方法であって
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払う
ステップとを含むことを特徴とするＷｅｂサイト運用方法。【００２５】請求項２２に記載の発明は
商品販売者の端末とユーザの端末とサービス実施者の端末がアクセス可能なＷｅｂサイトを構成するコンピュータに
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。【００２６】請求項２３に記載の発明は
商品販売者の端末とユーザの端末とサービス実施者の端末がアクセス可能なＷｅｂサイトを構成するコンピュータに
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを実行することを特徴とするサーバプログラム。【００２７】請求項２４に記載の発明は
商品販売者の端末とユーザの端末とサービス実施者の端末がアクセス可能なＷｅｂサイトを構成するコンピュータに
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを実行することを特徴とするサーバプログラム。【００２８】請求項２５に記載の発明は
商品販売者の端末とユーザの端末とサービス実施者の端末がアクセス可能なＷｅｂサイトを構成するサーバ装置におけるＷｅｂサイト運用方法であって
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払うステップとを含むことを特徴とするＷｅｂサイト運用方法。【００２９】請求項２６に記載の発明は
商品販売者の端末とユーザの端末とサービス実施者の端末がアクセス可能なＷｅｂサイトを構成するサーバ装置におけるＷｅｂサイト運用方法であって
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に前記Ｗｅｂサイトが定める手数料の換金率を乗して
換金の金額を算出するステップと
当該商品販売者の前記ポイント換金手数料を当該Ｗｅｂサイトが受取るステップとを含むことを特徴とするＷｅｂサイト運用方法。【００３０】請求項２７に記載の発明は
商品販売者の端末とユーザの端末とサービス実施者の端末がアクセス可能なＷｅｂサイトを構成するサーバ装置におけるＷｅｂサイト運用方法であって
前記商品販売者端末の商品販売者は販売する商品又は提供するデータにサービスを添付できるサービス実施者をオークション又は入札により決めることができるステップと
前記商品販売者端末の商品販売者が前記ユーザ端末のユーザに販売する商品又は提供するデータに前記サービス実施者端末のサービス実施者が実施したいサービスを添付するステップと
前記商品又は前記データと前記添付した実施するサービスを当該商品又は、当該データの識別情報に対応付けて記憶手段に記憶するステップと
前記Ｗｅｂサイトで前記商品販売者端末の商品販売者が販売する商品を購入又は提供するデータを取得する前記ユーザ端末のユーザに対して添付したサービスを実施するステップと
前記サービス実施者が実施するサービスを前記商品販売者が販売する商品又は提供するデータに添付するにあたり、当該サービス実施者が当該商品販売者に対して添付代金の
支払に使用可能な同額分の金銭的価値を示すポイントにお金を交換できるステップと
当該交換したポイントを当該サービス実施者の識別情報に対応付けて記憶手段に記憶する
ステップと
前記ポイント交換時に別途事務手数料をサービス実施者から徴収するステップと
前記添付代金を前記商品販売者と前記サービス実施者の間で値段交渉できるステップと
前記サービス実施者が保有するポイントにより
前記添付代金の決済処理を実行するステップと
当該決済に使用されたポイントを当該商品販売者の識別情報に対応付けて記憶するステップと
前記商品販売者が前記商品販売者データ記憶部に換金請求するポイント数を入力すると、当該ポイント数に応じた完金額を算出し、前記商品販売者の指定口座へ前記換金額を支払う
ステップとを含むことを特徴とするＷｅｂサイト運用方法。
【発明の効果】
【００２９】本発明によれば、
ユーザは商品販売者の販売する商品又は提供するデータを取得するにあたって企業などのサービス実施者が実施する添付されたサービスに、協力することで販売する商品又は、提供するデータを無料で取得することができる。
またユーザがこの無料で購入又は取得できる仕組みがあることで、企業などのサービス実施者はアンケートを実施する際ユーザからのアンケートなどの協力を得やすくなる。
また、商品販売者はユーザへ商品を又はデータを無料で提供する場合収益を得ることが出来なかったが、このシステムによりユーザへ無料で商品またはデータを提供しても、収益を得ることができるようになる。
またＷｅｂサイトはサービス実施者から収益を得なくても
サービス実施者が実施するサービスを添付するにあたりサービス実施者から商品販売者へポイントにより添付代金を支払われることで得たポイントを
換金する際、商品販売者から換金手数料など受取ることで収益を得ることができる。
【発明を実施するための最良の形態】
【００３０】＜実施形態＞
［１．概要］
サービス実施者はＷｅｂサイトでお金をポイントに交換することができる
「お金をポイントへ交換する」の手続きをふむ（ポイントのフローチャート（図８）の表記８０１と同様）
またサービス実施者は、商品販売者の販売する商品又は提供するデータに実施したいサービスを選んで添付することができ（実施するサービスを選ぶ（図９）の表記１０００と同様）サービス実施者が実施したサービスにユーザは協力することで商品販売者が販売する商品又は提供するデータを無料で取得することができる
本実施形態のサーバ装置は
またユーザが商品を購入する為のショッピングページの入り口としてユーザ向けのショッピングページを設け、サービス実施者に協力することにより無料で購入できる商品又は取得できるデータを紹介している「無料で取得」の表記欄を配置している（ユーザページ（図４）の表示欄４０１と同様）。
これにより、ユーザは商品販売者が販売する商品又は提供するデータを無料で取得することを実現している。
また商品販売者は、販売する商品又は提供するデータにサービス実施者が実施するサービスを添付するにあたりサービス実施者から商品販売者へポイントにより添付代金を支払われることで得たポイントを換金することができる。
「ポイントの換金を要求する」の換金手続き
（ポイントの換金（図７）のフローチャート図）
またポイントを換金するにあたりＷｅｂサイトに対して商品販売者は換金手数料を支払うことでＷｅｂサイトは収益を上げられることを実現している。【００３１】［２．サーバ装置の構成］
図２は同実施形態によるサーバ装置の構成例を示すブロック図である。
この図においてサーバ装置１は
表示部５、入出力部６、ポイント換金部８、
Ｗｅｂサイトサービス情報記憶部１１、ポイント交換部９
Ｗｅｂサイトサービス管理部１００
ユーザ情報記憶部２１、ユーザ購入商品情報記憶部２２、ユーザ情報管理部２４
サービス実施者情報記憶部３１、実施内容記憶部３２、回答回収情報記憶部３３、サービス実施者管理部３４、サービス実施者ポイント登録部３５、
商品販売者情報記憶部４１、商品情報記憶部４２、商品販売者の売上管理記憶部４３商品販売者管理部４４、商品販売者ポイント登録部４５、商品販売者の収益情報記憶部４６から構成されている。【００３２】サービス実施者ポイント登録部３５はＷｅｂサイトでお金を交換することで得たポイントを各サービス実施者の識別情報とを対応させて
実施内容記憶部３２に格納する。
商品販売者ポイント登録部４５はサービス実施者により商品へ添付代金をポイントにより支払われることで得たポイントを各商品販売者の識別情報に対応させて商品販売者情報記憶部４１に格納する。【００３３】  サービス実施者情報管理部３４は、サービス実施者情報記憶部３１に対するサービス実施者の新規登録（識別情報及びパスワードの発行）、またすでに登録されているサービス実施者の登録内容の変更を行う。
ユーザ情報管理部２４はユーザ情報記憶部２１に対するユーザの
新規登録（識別情報及びパスワードの発行）、またすでに登録されているユーザの登録内容の変更を行う。
商品販売者情報管理部４４は商品販売者情報記憶部４１に対する商品販売者の
新規登録（識別情報及びパスワードの発行）、またすでに登録されている商品販売者の登録内容の変更を行う。【００３４】［２−１．サーバ装置］
図２においてサーバ装置１は、Ｗｅｂサイトのサービスを管理するサーバ群である。
サーバ装置１は、例えば、Ｗｅｂページの生成・送信機能を有するＷｅｂサーバデータベースを管理する記憶部サーバ及びその他の必要なアプリケーションサーバーを含む【００３５】［（ａ）ユーザ情報記憶部］
図２において、ユーザ情報記憶部２１は、Ｗｅｂサイトのサービスを利用するユーザの情報を記憶しているデータベースである
図３（ａ）に、ユーザ情報の主要な項目を示す。
図３（ａ）に示すように、１件のユーザ情報は、「ユーザＩＤ」及び「パスワード」を含んでいる。【００３６】［（ｂ）ユーザ購入商品記憶部］
図２において、ユーザ購入商品記憶部２２は、Ｗｅｂサイトのサービスを利用するユーザの購入商品の情報を記憶しているデータベースである
図３（ｂ）に、ユーザ購入商品の情報の主要な項目を示す。
図３（ｂ）に示すように、１件の情報は、「ユーザＩＤ」及び「商品ＩＤ」及び「商品名」及び「商品価格」を含んでいる。【００３７】［（ｃ）サービス実施者情報記憶部］
図２において、サービス実施者情報記憶部３１は、Ｗｅｂサイトのサービスを利用するサービス実施者の情報を記憶しているデータベースである
図３（ｃ）に、サービス実施者情報の主要な項目を示す。
図３（ｃ）に示すように、１件の情報は、「サービス実施者ＩＤ」及び「パスワード」及び「支払方法情報」及び「保有ポイント数」を含んでいる。【００３８】［（ｄ）実施内容記憶部］
図２において、実施内容記憶部３２は、Ｗｅｂサイトのサービスを利用するサービス実施者の実施内容の情報を記憶しているデータベースである
図３（ｄ）に、実施したサービスの主要な情報の項目を示す。
図３（ｄ）に示すように、１件の情報は、「サービス注文番号」及び「実施管理番号」及び「サービス実施者ＩＤ」及び「添付したの商品ＩＤ」及び「添付した商品の商品販売者ＩＤ」「実施人数」及び「実施期間」「実施サービス内容」及び「回答回収期限」を含んでいる。【００３９】［（ｅ）回答回収情報記憶部］
図２において、回答回収情報記憶部３３は、Ｗｅｂサイトのサービスを利用するサービス実施者がユーザより回収した情報を記憶しているデータベースである
図３（ｅ）に、回収情報の主要な項目を示す。
図３（ｅ）に示すように、１件の情報は、「実施管理番号」及び「回答回収情報番号」及び「サービス実施者ＩＤ」及び「実施対象のユーザＩＤ」及び「回収したデータの内容」及び「実施日時」を含んでいる。【００４０】［（ｆ）商品販売者情報記憶部］
図２において、商品販売者情報記憶部４１は、Ｗｅｂサイトのサービスを利用する商品販売者の情報を記憶しているデータベースである
図３（ｆ）に、商品販売者情報の主要な項目を示す。
図３（ｆ）に示すように、１件の情報は、「商品販売者ＩＤ」及び「パスワード」及び「振込先情報」を含んでいる。【００４１】［（ｇ）商品販売者の商品情報記憶部］
図２において、商品販売者の商品情報記憶部４２は、Ｗｅｂサイトのサービスを利用する商品販売者の商品情報を記憶しているデータベースである
図３（ｇ）に、商品情報の主要な項目を示す。
図３（ｇ）に示すように、１件の情報は、「商品ＩＤ」及び「商品名」及び「商品価格」及び「商品内容のデータ」を含んでいる。【００４２】［（ｈ）商品販売者の売上管理記憶部］
図２において、商品販売者の売上管理記憶部４３は、Ｗｅｂサイトのサービスを利用する商品販売者の売上情報を記憶しているデータベースである
図３（ｈ）に、売上管理情報の主要な項目を示す。
図３（ｈ）に示すように、１件の情報は、「売上管理番号」及び「商品販売者ＩＤ」及び「商品ＩＤ」及び「商品名」及び「商品価格」及び「ポイントによる売上額」及び「現金による売上額」を含んでいる。【００４３】［（ｉ）商品販売者の収益情報記憶部］
図２において、商品販売者の収益情報記憶部４４は、Ｗｅｂサイトのサービスを利用する商品販売者の収益情報を記憶しているデータベースである
図３（ｉ）に、商品販売者の収益情報の主要な項目を示す。
図３（ｉ）に示すように、１件の情報は、「商品販売者ＩＤ」及び「売上管理番号」及び「収益額」及び「Ｗｅｂサイトへのポイント換金手数料」を含んでいる。【００４４】［（ｊ）Ｗｅｂサイトサービス情報記憶部］
図２において、Ｗｅｂサイトサービス情報記憶部１１は、Ｗｅｂサイトのサービスを利用するサービス実施者向けに用意されたサービスの情報を記憶しているデータベースである
図３（ｊ）に、サービス実施者向けサービス情報の主要な項目を示す。
図３（ｊ）に示すように、１件の情報は、「サービス番号」及び「サービス種別」及び「サービス名」及び「サービス内容説明」を含んでいる。【００４５】〈ポイントへの交換〉
以下図８のフローチャートに従い、サービス実施者がお金をポイントに交換する動作を説明する。
ポイント交換部９は入力部６を介してサービス実施者端末３０から
アクセスされ、制御情報が入力されると、この制御情報がお金をポイントへの交換を要求する情報であるか否かの検出を行い、ポイントへの交換を要求する情報であることを
検出した場合、処理をステップＳ４０２へ進め、一方、ポイントへの交換を要求する情報
でないことを検出した場合、処理をステップＳ４０９へ進め終了する。【００４６】    ポイント交換の要求情報であることを検出するとポイント交換部９は
サービス実施者端末３０から入力されるポイントへ交換する金額を入力する（ステップＳ４０２）
次にポイント交換部９はサービス実施者に対して、ポイントに交換するお金を請求する（ステップＳ４０３）
次にポイント交換部９は、サービス実施者によりポイントに交換するお金が支払われたことを確認する（ステップＳ４０４）
そしてポイント交換部９は入金を確認したことで、お金と交換したポイント数をサービス実施者の保有ポイント数に加算し、（ステップＳ４０５）
この加算結果を保有ポイント数に上書きする（ステップＳ４０６）
とともに上記保有ポイント数を表示部５へ出力する。（ステップＳ４０７）
次にサービス実施者から確認完了の操作を検出した場合（ステップＳ４０８）
処理ステップＳ４０９へ進め終了する。【００４７】〈ポイント換金〉
以下図７のフローチャートに従い、商品販売者が所有しているポイント換金の動作を説明する。
ポイント換金部８は入力部６を介して商品販売者端末４０から
アクセスされ、制御情報が入力されると、この制御情報がポイント換金を要求する
情報であるか否かの検出を行い、ポイント換金の要求情報であることを
検出した場合、処理をステップＳ３０２へ進め、一方、ポイント換金の要求
でないことを検出した場合、処理をステップＳ３１３へ進め終了する。【００４８】  ポイント換金の要求情報であることを検出するとポイント換金部８は
Ｗｅｂサイトサービス管理部１００から換金率を読み出し（ステップＳ３０２）
商品販売者端末４０から入力される
換金対象のポイント数データを入力する（ステップＳ３０３）
そしてポイント換金部８は、上記換金対象のポイント数に対して
換金率を乗じて
換金額を算出する（ステップＳ３０４）
算出すると、ポイント換金部８は換金したポイント数を
残ポイント数から減算し、この減算結果を残ポイント数に上書きする
（ステップＳ３０５）とともに上記換金額を表示部５へ出力する。
そして、表示部５は、入力される換金額を表示画面に表示する（ステップＳ３０６）
次に商品販売者端末から制御情報が入力されると、この制御情報が
換金額を商品販売者が指定する口座への入金要求情報であるか
否かの検出を行い、指定口座への入金要求情報であることを
検出した場合ステップＳ３０８へ進め、一方、指定口座への入金要求情報でないことを検出した場合、処理ステップＳ３１３へ進め終了する
指定口座への入金要求情報であることを検出すると（ステップＳ３０７）
ポイント換金部８は、商品販売者情報記憶部４１から商品販売者の
入金先口座情報を読み出し（ステップＳ３０８）
上記入金先口座情報を表示部５へ出力する。
そして、表示部５は入金先口座情報を表示画面に表示する（ステップＳ３０９）
次に商品販売者端末から制御情報が入力されると、この制御情報が
入金操作を実行する要求情報であるか否かの検出を行い、入金操作を実行する要求情報であることを検出した場合ステップＳ３１１へ進め、一方、入金操作を実行する要求情報でないことを検出した場合、処理ステップＳ３１３へ進め終了する
入金操作を実行する要求情報であることを検出すると（ステップＳ３１０）
換金額を商品販売者の指定した入金先口座への入金を実行する（ステップＳ３１１）
上記入金を完了したことを表示部５へ出力する（ステップＳ３１２）
次に商品販売者端末から確認完了の操作を検出した場合
処理ステップＳ３１３へ進め終了する。
【産業情の利用可能性】
【００４９】  本発明に係る
サービス実施者とＷｅｂサイトと商品販売者とユーザがそれぞれ抱える問題を解決できる
本サーバ装置は、今まで売る者と買う者の２者間の取引だけでは実現できなかった購入システムを実現しており、様々なショッピングサイト上で実現可能であり、多くの人から望まれるサーバ装置であることから産業上の利用可能性を有する。
【図面の簡単な説明】
【００５０】
【図１】Ｗｅｂサイトとサービス実施者とユーザと商品販売者の関係を表した説明図である。
【図２】システム構成を示すブロック図である。
【図３】データベースのデータ項目の説明図である。
【図４】ユーザのトップページの表示例である。
【図５】ユーザページの購入画面の表示例である。
【図６】商品の購入方法の手順を示すフローチャート図である。
【図７】ポイント換金のフローチャート図である
【図８】ポイント交換のフローチャート図である
【図９】実施するサービスを選ぶ図である
【符号の説明】
【００５１】    １  サーバ装置
５  表示部
６  入出力部
７  ネットワーク
８  ポイント換金部
９  ポイント交換部
１１  Ｗｅｂサイトサービス情報ＤＢ
２０  ユーザ端末
２１  ユーザ情報記憶部
２２  ユーザ購入商品記憶部
２４  ユーザ情報管理部
２５  ユーザ情報登録部
３０  サービス実施者端末
３１  サービス実施者情報記憶部
３２  実施内容記憶部
３３  回答回収情報記憶部
３４  サービス実施者管理部
３５  サービス実施者ポイント登録部
４０  商品販売者端末
４１  商品販売者情報記憶部
４２  商品販売者の商品情報記憶部
４３  商品販売者の売上管理記憶部
４４  商品販売者情報管理部
４５  商品販売者ポイント登録部
４６  商品販売者の収益情報記憶部
１００  Ｗｅｂサイトサービス管理部
【図１】
2016126541.tif 000003
【図２】
2016126541.tif 000004
【図３】
2016126541.tif 000005
【図４】
2016126541.tif 000006
【図５】
2016126541.tif 000007
【図６】
2016126541.tif 000008
【図７】
2016126541.tif 000009
【図８】
2016126541.tif 000010
【図９】
2016126541.tif 000011